(57)【要約】　　　（修正有）【課題】切刃が磨耗などにより機能を失った場合でも、別の切刃をパリソン切断位置に移動可能なホットカッター及びその使用方法を提供する。【解決手段】固定部間の寸法よりも長いホットカッター１１にてパリソン数および間の寸法に伴い、ホットカッターの切刃１３ａ〜１３ｆ部分形成し、同様の寸法の切刃部分を形成可能な位置に配置し可能な限り切刃を形成したホットカッターを構成することにより、切刃として使用できていなかった部分を有効に活用できるようになる。【選択図】図１
2004074387.tif 000002
【特許請求の範囲】
【請求項１】
中空成形機、ダイレクトブロー成形機のダイスから押し出された溶融状態の樹脂を切断するホットカッターにおいて、ホットカッターを固定する２箇所の固定金具及び電極間寸法よりも長く、そのホットカッターにパリソンを切断する切刃がホットカッターの縁部に形成されているとともに、その切刃が一定の間隔にて配列し、切刃部が使用に伴い磨耗し切刃としての機能が著しく低下しても一定の間隔に配列された別の未使用切刃を、パリソンを切断する位置に移動でき、切刃を形成した位置の数、ホットカッターとして使用できることが特徴のホットカッター。
【請求項２】
一部の切刃の機能が低下しても別の切刃をパリソン切断位置に移動する請求項１記載のホットカッターの使用方法。
【発明の詳細な説明】
【０００１】
【発明の属する技術分野】
本発明は中空成形、ダイレクトブロー成形用ホットカッターに関する。
【０００２】
【従来の技術】
ホットカッターについて説明する。たとえばダイレクトブロー成形において、ダイスから押し出される円筒状態の溶融樹脂を一定の長さで切断してパリソンが製造される。このパリソンの切断に際して、ポリエチレン、ポリプロピレンをはじめ、ポリ塩化ビニル以外のほとんどの樹脂にホットカッターが使用されている。
【０００３】
ホットカッターではホットカッター刃に電流を流し、所要温度に加熱し、ダイスから押し出される溶融樹脂を切断するのである。
【０００４】
図４はホットカッターの構成を斜視図で示す。４１ａは双頭パリソンを切断するためのホットカッターで４１ｂは単頭パリソンを切断するホットカッターである。また、ホットカッター４１ａ、４１ｂ、はステンレスの帯状鋼材で構成されることが多い。
【０００５】
ホットカッター４１ａその一端が一方のアーム４２ａ、もう一端がアーム４２ｂに固定されている。アーム４２ａ、４２ｂは絶縁材料からなる支持体４３に固定されており、リード線４４ａ、４４ｂは各アーム４２ａ、４２ｂを介してホットカッター刃の両端に加熱用の電流が流されるように構成されている。また、支持体４３はシリンダ４５のピストンロッド４５ａと直動機構装置４６に固定されており、シリンダ４５の駆動によって支持体４３、アーム４２ａ、４２ｂを介してホットカッター４１ａが前後に往復移動しパリソン等を切断するよう構成されている。
【０００６】
切刃４７ａ、４７ｂ、４７ｃはホットカッター４１ａおよび４１ｂの全体平均断面よりも小さく形成されており、電流を流した際に切刃４７ａ、４７ｂ、４７ｃの抵抗値を相対的に大きくすることと同時にその部分に流れる電流密度を相対的に大きくして、切刃４７ａ、４７ｂ、４７ｃが他の断面よりも相対的に加熱するように形成されている。また、切刃４７ａ、４７ｂ、４７ｃが他の断面よりも相対的に加熱することにより、加熱に要する電力の軽減が図られている。
【０００７】
【発明が解決しようとする課題】
ところで図４に示すよう、切刃４７ａ、４７ｂ、４７ｃ位置にてパリソンなどを切断するのだが、ホットカッター４１ａおよび４１ｂは切刃４７ａ、４７ｂ、４７ｃの個々が磨耗などによって機能著しく低下した時、ホットカッター未使用部４８ａ、４８ｂ、４８ｃ、４８ｄ、４８ｅは使用されずにホットカッター４１ａおよび４１ｂは機能を失う。
【０００８】
以上述べたように従来の中ホットカッターの問題点は切刃として実際には使用されていない、ホットカッター未使用部４８ａ、４８ｂ、４８ｃ、４８ｄ、４８ｅが存在し、仮に切刃をホットカッター未使用部４８ａ、４８ｂ、４８ｃ、４８ｄ、４８ｅに形成したとしてもホットカッター４１ａおよび４１ｂ本体の長さはホットカッター固定部４９ａ、４９ｂの２箇所間と同等の寸法になっている為、切刃４７ａ、４７ｂ、４７ｃが磨耗などによって機能を失った場合、横方向にホットカッター４１ａおよび４１ｂを移動することはできない。
【０００９】
本発明はこのような従来の構成、形状が有していた問題を解決しようとするものであり、実際には切刃として使用されていない部分を有効活用することと、その使用方法の提供を目的とする。
【００１０】
【課題を解決するための手段】
本発明は上記目的を達成するために、ホットカッターを固定する２箇所の固定金具及び電極間寸法よりも長く、そのホットカッターにパリソンを切断する切刃がホットカッターの縁部に形成されているとともに、その切刃が一定の間隔にて配列し使用に伴い磨耗し切刃としての機能が著しく低下しても一定の間隔に配列された別の未使用切刃を、パリソンを切断する位置に移動でき、切刃を形成した位置の数、ホットカッターとして使用できることが特徴づけされる。（請求項１）
【００１１】
また、上述したホットカッターを用いて一部の切刃の機能が低下しても別の切刃をパリソン切断位置に移動する方法が可能になる。（請求項２）
【００１２】
【本発明の実施の形態】
本発明を図３の斜視図にて説明する。たとえばこれは双頭様ホットカッターでありホットカッターを動作させる装置に装着したものである。固定部３９ａ、３９ｂ間の寸法よりも長いホットカッター３１を用いてパリソンを切断する切刃３７ａ，３７ｂ，３７ｃ，３７ｄを形成する。また、切刃３７ａ，３７ｃ間と切刃３７ｂ，３７ｄ間は同様の寸法にて形成する。
【００１３】
ホットカッター３１の一端を固定部３９ａに固定し、固定部３９ｂには固定部３９ａ、３９ｂ間同様の寸法幅の位置でホットカッター３１を固定する。たとえば当初切刃３７ａと３７ｃにて双頭のパリソンなどを切断していたとする。そして、切刃３７ａと３７ｃが使用に伴い磨耗し切刃としての機能が著しく低下したことでホットカッター３１を固定具３９ａ方向に移動する。そして当初、切刃３７ａにて切断していた位置に切刃３７ｂ、切刃３７ｃにて切断していた位置に切刃３７ｄがくるように装着する。
【００１４】
上記のように、たとえば図４の未使用部４８ｂは切刃４７ａ、４７ｂが使用に伴い磨耗し切刃としての機能が著しく低下すれば使用することができなかった。たとえば図３の切刃３７ｂが図４の未使用部４８ｂに値するとする。さらに図３の切刃３７ｄを形成し、ホットカッターを最小限長くすることによって、図４のホットカッター４１ａの２ヶの長さをたすには至らず、図４のホットカッター４１ａ２ヶ分の機能をもった事になり、今まで切刃として使用されていない縁部を有効活用できる。
【００１５】
上記、本発明を具体的に図１にて説明する。ホットカッター１１の切刃１３ａと１３ｃにて双頭のパリソンを切断するとする。切刃１３ａと１３ｃ間の寸法をたとえばＷ１とし、切刃１３ｂと１３ｄ間の寸法をＷ２とする。そしてＷ１＝Ｗ２となるよう切刃１３ｂ、１３ｄを形成する。切刃１３ａと１３ｃ使用に伴い磨耗し切刃としての機能が著しく低下した場合、切刃１３ａのもとあった位置に切刃１３ｂがくるようにホットカッター１１を移動させる。そうすると必然的に切刃１３ｃの元あった位置に切刃１３ｄがくる。また、当初使用する切刃が切刃１３ａと１３ｄであれば切刃１３ａと１３ｄ間をＷ３とし、切刃１３ｂと１３ｅ間をＷ４、切刃１３ｃと１３ｆ間をＷ５とする。そして切刃間の加工寸法Ｗ３＝Ｗ４＝Ｗ５になるように形成する。そして切刃１３ａと１３ｄが使用に伴い磨耗し切刃としての機能が著しく低下した場合、切刃１３ａのもとあった位置に切刃１３ｂがくるようにホットカッター１１を移動する。必然的に切刃１３ｄのあった位置には切刃１３ｅがくる。同じように切刃１３ｂと１３ｅが磨耗すれば切刃１３ｃと１３ｆに移動する。
【００１６】
また、図２は単頭用のホットカッター２１とする。当初切刃２２ａを使用し使用に伴い磨耗し切刃としての機能が著しく低下した場合切刃２２ｂへと移動させる。これを同様に切刃２２ｃ、２２ｄ、２２ｅへと同じ作業を繰り返す。
【００１７】
【発明の効果】
上述したように固定部間の寸法よりも長いホットカッターにてパリソン間の寸法と同様に、切刃部分を形成し、同様の寸法の切刃部分を形成可能な位置に配置して可能な限り切刃を形成したホットカッターを構成することにより、切刃として使用できていなかった部分を有効に活用できるようになる。
【図面の簡単な説明】
【図１】本発明のホットカッターの実施の形態の正面図である。
【図２】本発明のホットカッターの実施の形態の正面図である。
【図３】本発明のパリソンなどを切断するためのホットカッターの構成例と実施の形態を斜視図で示したものである。
【図４】従来のパリソンなどを切断するためのホットカッターの構成例と実施の形態を斜視図で示したものである。
【符号の説明】
１１，２１，３１　　　　　　ホットカッター
１３ａ，１３ｂ，１３ｃ，１３ｄ，１３ｅ，１３ｆ，２２ａ，２２ｂ，２２ｃ，２２ｄ，２２ｅ，３７ａ，３７ｂ，３７ｃ，３７ｄ　　　切刃
【図１】
2004074387.tif 000003
【図２】
2004074387.tif 000004
【図３】
2004074387.tif 000005
【図４】
2004074387.tif 000006